(57)【特許請求の範囲】
【請求項１】
冷凍機と過冷却器と過冷却解除器と氷蓄熱槽と予熱器とを備え、前記氷蓄熱槽に蓄えられた冷水を前記予熱器で加熱して前記冷水中の氷を融かし、この冷水を前記過冷却器に送るとともに前記冷凍機で冷却したブラインを前記過冷却器に供給して、前記過冷却器で前記冷水を過冷却状態とし、その後、前記冷水を前記過冷却解除器に供給して氷を生成し、生成した氷を前記氷蓄熱槽に蓄える氷蓄熱システムにおいて、
前記氷蓄熱槽側から前記予熱器側に送られる前記氷蓄熱槽内の冷水とほぼ等しい温度の低温の冷水と、前記予熱器側から前記過冷却器側に送られる予熱後の高温の冷水との間で熱交換を行い、前記熱交換により前記過冷却器にそのまま供給する冷水を生成する熱交換器と、
前記氷蓄熱槽と前記過冷却器とを接続し、前記氷蓄熱槽内の冷水が前記熱交換器、前記予熱器、前記熱交換器の順に流通して、前記過冷却器に供給される冷水流路と、
を備えたことを特徴とする氷蓄熱システム。
【請求項２】
前記熱交換器と前記過冷却器とを一体的に構成し、この一体とした一体型熱交換器には、
前記過冷却器に相当し、ブラインと冷水との間で熱交換を行う第１の熱交換部と、
前記ブラインと熱交換する前の、前記氷蓄熱槽内の冷水とほぼ等しい温度の低温の冷水と、前記予熱器と熱交換した後の冷水との間で熱交換を行う第２の熱交換部と、
を備えることを特徴とする請求項１に記載の氷蓄熱システム。
【請求項３】
氷蓄熱槽に蓄えられた冷水を予熱器で加熱して前記冷水中の氷を融かし、この冷水を過冷却器に送るとともに冷凍機で冷却したブラインを前記過冷却器に供給して、前記過冷却器で前記冷水を過冷却状態とし、その後、前記冷水を過冷却解除器に供給して氷を生成し、生成した氷を前記氷蓄熱槽に蓄える氷蓄熱方法において、
前記氷蓄熱槽側から前記予熱器側に送られる前記氷蓄熱槽内の冷水とほぼ等しい温度の低温の冷水と、前記予熱器側から前記過冷却器側に送られる予熱後の高温の冷水との間で熱交換を行い、前記熱交換により前記過冷却器にそのまま供給する冷水を生成し、
前記氷蓄熱槽内の冷水は、前記熱交換器、前記予熱器、前記熱交換器の順に冷水流路を流通して、前記過冷却器に供給される、
ことを特徴とする氷蓄熱方法。
【発明の詳細な説明】
【技術分野】
【０００１】
この発明は、過冷却水を利用して氷蓄熱を行う氷蓄熱システムおよび氷蓄熱方法に関する。
【背景技術】
【０００２】
近年、空気調和や産業プロセスなどにおいて、電力消費量が低く安価な夜間電力などを利用でき、省スペースで蓄熱量が大きい氷蓄熱システムが開発、運用されている。この氷蓄熱システムの一方式として過冷却方式が有力で、これは、主として、冷凍機と、過冷却器と、過冷却解除器と、氷蓄熱槽とを備え、過冷却器で過冷却状態の冷水を生成し、この冷水に過冷却解除器で衝撃を与えてシャーベット状の氷を生成し、生成した氷を氷蓄熱槽に蓄える。このシャーベット状の氷は融けやすく、氷蓄熱槽に蓄えた氷を水に相変化させることで、その潜熱を空気調和などに利用するものである。また、氷蓄熱槽には氷と冷水とが蓄えられ、冷水は戻り水として過冷却器に送られて、上記のようなプロセスが繰り返される。
【０００３】
ところで、氷蓄熱槽から過冷却器に送られる戻り水中に微細な氷が混入していると、その氷が核となり、戻り水を氷蓄熱槽から過冷却器に送る冷水流路内で氷が析出して、冷水流路が閉塞してしまうおそれがある。このため、戻り水中の氷（氷核）を予熱器によって融かし、氷を含まない冷水のみを加熱水として過冷却器に送る氷蓄熱システムが知られている（例えば、特許文献１参照。）。この氷蓄熱システムは、図６に示すように、冷水流路１００上に予熱器１０１が配設され、氷蓄熱槽１０２に蓄えられた０℃の冷水が、戻り水として冷水循環ポンプ１０３によって予熱器１０１に送られる。この予熱器１０１には、３℃程度の冷媒が供給され、この冷媒の冷熱によって０℃の戻り水が０．５℃に加熱され、戻り水中に混入した氷が融かされる。そして、氷を含まない冷水のみが加熱水として過冷却器１０４に送られ、過冷却器１０４によって０．５℃の加熱水（冷水）が−２℃の過冷却水になるものである。なお、図中符号１０５は、過冷却器１０４に供給されるブラインを冷却する冷凍機であり、符号１０６は、氷を生成する過冷却解除器である。
【特許文献１】特開平１０−１８５２４８号公報
【発明の開示】
【発明が解決しようとする課題】
【０００４】
ところで、上記特許文献１に記載された氷蓄熱システムでは、予熱器１０１によって０℃の水を０．５℃に加熱し、さらに、０．５℃に加熱された加熱水を過冷却器１０３によって−２℃に過冷却している。このため、０℃の冷水をそのまま−２℃に過冷却する場合に比べて、より多くの冷却熱量を要し、冷凍機１０５の負荷が大きく、さらに、０℃の冷水を０．５℃に加熱するための加熱量を要する。
【０００５】
そこでこの発明は、過冷却に要する冷却熱量や、過冷却器に供給する熱媒水中の氷を融かすのに要する加熱量を低減可能な氷蓄熱システムおよび氷蓄熱方法を提供することを目的とする。
【課題を解決するための手段】
【０００６】
上記目的を達成するために請求項１に記載の発明は、冷凍機と過冷却器と過冷却解除器と氷蓄熱槽と予熱器とを備え、前記氷蓄熱槽に蓄えられた冷水を前記予熱器で加熱して前記冷水中の氷を融かし、この冷水を前記過冷却器に送るとともに前記冷凍機で冷却したブラインを前記過冷却器に供給して、前記過冷却器で前記冷水を過冷却状態とし、その後、前記冷水を前記過冷却解除器に供給して氷を生成し、生成した氷を前記氷蓄熱槽に蓄える氷蓄熱システムにおいて、前記氷蓄熱槽側から前記予熱器側に送られる前記氷蓄熱槽内の冷水とほぼ等しい温度の低温の冷水と、前記予熱器側から前記過冷却器側に送られる予熱後の高温の冷水との間で熱交換を行い、前記熱交換により前記過冷却器にそのまま供給する冷水を生成する熱交換器と、前記氷蓄熱槽と前記過冷却器とを接続し、前記氷蓄熱槽内の冷水が前記熱交換器、前記予熱器、前記熱交換器の順に流通して、前記過冷却器に供給される冷水流路と、を備えたことを特徴とする氷蓄熱システムである。
【０００７】
この発明によれば、氷蓄熱槽側から予熱器側に送られる低温の冷水である戻り水と、予熱器側から過冷却器側に送られる高温の冷水である加熱水とが、熱交換器によって熱交換され、戻り水の温度が上昇し、加熱水の温度が降下する。そして、温度上昇した戻り水が予熱器に送られ、温度降下した加熱水が過冷却器に送られる。
【０００８】
請求項２に記載の発明は、請求項１に記載の氷蓄熱システムにおいて、前記熱交換器と前記過冷却器とを一体的に構成し、この一体とした一体型熱交換器には、前記過冷却器に相当し、ブラインと冷水との間で熱交換を行う第１の熱交換部と、前記ブラインと熱交換する前の、前記氷蓄熱槽内の冷水とほぼ等しい温度の低温の冷水と、前記予熱器と熱交換した後の冷水との間で熱交換を行う第２の熱交換部と、を備えることを特徴とする。
【０００９】
請求項３に記載の発明は、氷蓄熱槽に蓄えられた冷水を予熱器で加熱して前記冷水中の氷を融かし、この冷水を過冷却器に送るとともに冷凍機で冷却したブラインを前記過冷却器に供給して、前記過冷却器で前記冷水を過冷却状態とし、その後、前記冷水を過冷却解除器に供給して氷を生成し、生成した氷を前記氷蓄熱槽に蓄える氷蓄熱方法において、前記氷蓄熱槽側から前記予熱器側に送られる前記氷蓄熱槽内の冷水とほぼ等しい温度の低温の冷水と、前記予熱器側から前記過冷却器側に送られる予熱後の高温の冷水との間で熱交換を行い、前記熱交換により前記過冷却器にそのまま供給する冷水を生成し、前記氷蓄熱槽内の冷水は、前記熱交換器、前記予熱器、前記熱交換器の順に冷水流路を流通して、前記過冷却器に供給される、ことを特徴とする氷蓄熱方法である。
【００１０】
この発明によれば、氷蓄熱槽側から予熱器側に送られる低温の冷水である戻り水と、予熱器側から過冷却器側に送られる高温の冷水である加熱水とが熱交換され、温度上昇した戻り水が予熱器に送られ、温度降下した加熱水が過冷却器に送られる。
【発明の効果】
【００１１】
請求項１および３に記載の発明によれば、氷蓄熱槽側から予熱器側に送られる冷水（戻り水）が、予熱器側から過冷却器側に送られる冷水（加熱水）との熱交換器における熱交換によって温度上昇して予熱器に送られるため、予熱器によって戻り水中の氷を融かすのに要する加熱量を低減することが可能となる。また、加熱水が戻り水との熱交換器における熱交換によって温度降下して過冷却器に送られるため、冷水（加熱水）を過冷却するのに要する冷却熱量を低減することが可能となる。さらに、本発明で使用する熱交換器の伝熱面積を規格品よりも増やして温度効率を上げることで、省エネルギー率を向上させることが可能となる。
【００１２】
請求項２に記載の発明によれば、熱交換器と過冷却器とが一体的に構成されているため、氷蓄熱システムの省スペース化や製造費の削減が可能となる。
【発明を実施するための最良の形態】
【００１３】
以下、この発明を図示の実施の形態に基づいて説明する。
【００１４】
（実施の形態１）
図１は、この実施の形態に係る氷蓄熱システム１を示す概略構成図であり、図２は、この氷蓄熱システム１における冷水の温度状態などを示す模式図である。この氷蓄熱システム１は、製氷することで冷熱を蓄えるシステムであり、主として、熱源装置２と、過冷却器３と、過冷却解除器４と、氷蓄熱槽５と、予熱器６と、熱回収熱交換器（熱交換器）７とを備えている。ここで、以下に述べる冷水やブラインの温度は、その一例を示すものであり、その他の温度であってもよいことは勿論である。
【００１５】
熱源装置２は、凝縮器と膨張弁（減圧器）と蒸発器と圧縮機を有する冷凍機および、補機としての冷却塔と冷却水ポンプを備え、後述するようにして過冷却器３から送られたブラインを冷却するものであり、この実施の形態では、ブラインを−３℃に冷却するようになっている。過冷却器３は、例えばプレート型やシェルアンドチューブ型の熱交換器で構成され、冷水を過冷却状態にするものである。具体的には、熱源装置２によって−３℃に冷却されたブラインと、後述する第４の冷水Ｗ４との間で熱交換を行うことで、０．１℃であった第４の冷水Ｗ４を−２℃に過冷却して、過冷却水Ｗ５を生成するものである。ここで、以下の文中でＷ１〜Ｗ５の符号を付す冷水は、いずれも同系統同流路の冷水で、呼称を温度状態によって使い分けている。また、いずれも製氷に供するための熱媒である。
【００１６】
この熱源装置２と過冷却器３とは、ブライン流路３１を介して接続され、ブライン流路３１にはブライン循環ポンプ３２が配設されている。そして、ブライン循環ポンプ３２によって、ブラインがブライン流路３１を通って熱源装置２側に送られ、熱源装置２によって−３℃に冷却されて過冷却器３に供給される。さらに、過冷却器３内で第４の冷水Ｗ４との熱交換によって後述するように−１℃に温度上昇したブラインが、ブライン流路３１を通って再び熱源装置２側に送られるようになっている。
【００１７】
過冷却解除器４は、過冷却水Ｗ５に衝撃を与えることなどによって、過冷却水Ｗ５の過冷却状態を解除してシャーベット状の氷を生成するものであり、生成された氷と残りの冷水とは、氷水流路４１を介して氷蓄熱槽５に蓄えられるようになっている。なお、過冷却解除器４に、氷の伝播防止機能を備えてもよい。なお、図６の場合と異なり、この実施の形態では、熱媒を大気と直接接触させない密閉管路の方式である。
【００１８】
予熱器６は、予熱用としての、例えば他系統の水蓄熱槽６１からの水（熱媒）と、後述する第２の冷水Ｗ２との間で熱交換を行う熱交換器であり、後述するように、０．４℃の第２の冷水Ｗ２を０．５℃に温度上昇させて第３の冷水Ｗ３を生成するようになっている。熱回収熱交換器７は、氷蓄熱槽５内の冷水とほぼ等しい温度の低温の冷水（未加熱の槽内水）である第１の冷水Ｗ１と、予熱器６側から過冷却器３側に送られる高温の冷水（予熱後の水）である第３の冷水Ｗ３との間で熱交換を行う熱交換器である。具体的には、０℃の第１の冷水Ｗ１を０．４℃に温度上昇させて第２の冷水Ｗ２（後述する熱回収により予熱後の第３の冷水Ｗ３の熱を取得した後の冷水）を生成し、０．５℃の第３の冷水Ｗ３を熱回収熱交換器７で０．１℃に温度降下させて第４の冷水Ｗ４（過冷却器３にそのまま供給する冷水）を生成するようになっている。ここで、冷水Ｗ１〜Ｗ４は、氷蓄熱槽５と過冷却器３とを接続する冷水流路８を、冷水循環ポンプ８１によって流通するようになっている。
【００１９】
次に、このような構成の氷蓄熱システム１の作用、動作および、この氷蓄熱システム１による氷蓄熱方法について説明する。
【００２０】
まず、氷蓄熱槽５に蓄えられた第１の冷水Ｗ１が、冷水循環ポンプ８１によって汲み上げられ冷水流路８を通って熱回収熱交換器７側に送られる。次に、熱回収熱交換器７において、第３の冷水Ｗ３との熱交換によって第１の冷水Ｗ１が０．４℃の第２の冷水Ｗ２となり、続く予熱器６によって加熱されて０．５℃の第３の冷水（加熱水）Ｗ３となる。このようして０℃の第１の冷水Ｗ１が０．５℃の第３の冷水Ｗ３に加熱されることで、冷水中の氷（氷核）が融かされる。
【００２１】
続いて、熱回収熱交換器７において、上記の第１の冷水Ｗ１との熱交換によって０．１℃の第４の冷水Ｗ４となり、過冷却器３に送られる。一方、上記のようにして熱源装置２で冷却された−３℃のブラインが過冷却器３に供給され、過冷却器３において、０．１℃の第４の冷水Ｗ４が−３℃のブラインとの熱交換によって−２℃の過冷却水Ｗ５（過冷却状態）となる。また、−３℃のブラインは熱交換によって−１℃に温度上昇し、再び熱源装置２側に送られて−３℃に冷却される。
【００２２】
その後、過冷却水Ｗ５が過冷却解除器４に供給され、上記のようにして過冷却水Ｗ５からシャーベット状の氷が生成され、生成された氷と残りの冷水とが、氷蓄熱槽５に蓄える。そして、氷蓄熱槽５に蓄えられた０℃の第１の冷水Ｗ１が熱回収熱交換器７側に送られて、上記のようなプロセス（サイクル）が繰り返されるものである。
【００２３】
以上のように、この氷蓄熱システム１によれば、氷蓄熱槽５側から予熱器６側に送られる０℃の第１の冷水Ｗ１が、予熱器６側から過冷却器３側に送られる０．５℃の第３の冷水Ｗ３との熱回収熱交換器７における熱交換によって、０．４℃に温度上昇して予熱器６に送られる。このため、予熱器６によって冷水中の氷を融かすのに要する加熱量、つまり０．５℃まで加熱するのに要する熱量を低減することが可能となる。具体的には、０．４℃の冷水を０．５℃まで０．１℃加熱すればよいため、０℃の冷水を０．５℃まで０．５℃加熱する加熱量に比べて、１／５（＝０．１℃÷０．５℃）の加熱量で済み、加熱量を８０％低減できる。
【００２４】
また、０．５℃の第３の冷水Ｗ３が０℃の第１の冷水Ｗ１との熱回収熱交換器７における熱交換によって、０．１℃に温度降下して過冷却器３に送られる。このため、冷水を−２℃まで過冷却するのに要する冷却熱量を低減すること、つまり熱源装置２の負荷を軽減することが可能となる。具体的には、０．１℃の冷水を−２℃まで２．１℃過冷却すればよいため、０．５℃の冷水を−２℃まで２．５℃過冷却する冷却熱量に比べて、冷却熱量を１６％（＝（２．５℃−２．１℃）÷２．５℃×１００）低減できる。
【００２５】
さらに、使用する熱回収熱交換器７の伝熱面積を規格品よりも増やして温度効率を上げることで、省エネルギー率を向上させることが可能となる。例えば、第２の冷水Ｗ２の温度を０．４５℃とし、第４の冷水Ｗ４の温度を０．０５℃とすることで、温度効率を上げて（後述する温度効率の算出式を参照）省エネルギー率を向上させることが可能となる。
【００２６】
（実施の形態２）
図３は、この実施の形態に係る氷蓄熱システムにおける一体型熱交換器１０を示す概略構成図であり、図４は、この一体型熱交換器１０における冷水の温度状態などを示す模式図である。ここで、実施の形態１と同等の構成については、同一符号を付することで、その説明を省略する。
【００２７】
この一体型熱交換器１０は、実施の形態１における過冷却器３と熱回収熱交換器７とを一体的に構成したプレート式の熱交換器であり、熱回収熱交換器７に相当し、ブラインと熱交換する前の冷水と熱交換した後の冷水との間で熱交換を行う熱回収熱交換部（第２の熱交換部）１１と、過冷却器３に相当し、ブラインと冷水との間で熱交換を行う過冷却部１２（第１の熱交換部）とが、仕切り板１３を介して隣接して配設されている。
【００２８】
熱回収熱交換部１１には、第１の冷水Ｗ１が流入して第２の冷水Ｗ２となって流出する第１の流路１１ａと、第３の冷水Ｗ３が流入する第２の流路１１ｂとが設けられている。そして、第１の流路１１ａを通る第１の冷水Ｗ１と、第２の流路１１ｂを通る第３の冷水Ｗ３との間で熱交換が行われるようになっている。また、過冷却部１２には、後述するようにして第４の冷水Ｗ４が過冷却水Ｗ５となって流出する第３の流路１２ａと、ブラインが流入して熱交換を経て流出する第４の流路１２ｂとが設けられている。そして、第３の流路１２ａを通る第４の冷水Ｗ４と、第４の流路１２ｂを通るブラインとの間で熱交換が行われるようになっている。さらに、仕切り板１３には貫通流路１３ａが設けられ、この貫通流路１３ａを介して第２の流路１１ｂと第３の流路１２ａとが接続されている。
【００２９】
ここで、熱回収熱交換部１１の伝熱面積について、図５に基づいて説明する。熱交換によって、高温側の熱媒が温度Ｔ１から温度Ｔ２に温度変化し、低温側の熱媒が温度ｔ１から温度ｔ２に温度変化した場合、高温側の温度効率ψｈおよび低温側の温度効率ψｃは、次式によって算出される。
ψｈ＝（Ｔ１−Ｔ２）／（Ｔ１−ｔ１）
ψｃ＝（ｔ２−ｔ１）／（Ｔ１−ｔ１）
この式に基づいて、熱回収熱交換部１１における温度効率ψｈ、ψｃを算出する。ここで、図５（ａ）に示すように、高温側の熱媒の熱交換前の温度Ｔ１は０．５℃、熱交換後の温度Ｔ２は０．１℃であり、低温側の熱媒の熱交換前の温度ｔ１は０℃、熱交換後の温度ｔ２は０．４℃である。そして、これらの温度を上記の式に代入すると、
ψｈ＝（０．５℃−０．１℃）／（０．５℃−０℃）＝０．８
ψｃ＝（０．４℃−０℃）／（０．５℃−０℃）＝０．８
となる。
【００３０】
同様にして、過冷却部１２における温度効率ψｈ、ψｃを算出する。ここで、図５（ｂ）に示すように、高温側の熱媒の熱交換前の温度Ｔ１は０．１℃、熱交換後の温度Ｔ２は−２℃であり、低温側の熱媒の熱交換前の温度ｔ１は−３℃、熱交換後の温度ｔ２は−１℃である。そして、これらの温度を上記の式に代入すると、
ψｈ＝（０．１℃−（−２℃））／（０．１℃−（−３℃））＝０．６８
ψｃ＝（−１℃−（−３℃））／（０．１℃−（−３℃））＝０．６５
となる。
【００３１】
以上の算出結果から、熱回収熱交換部１１における温度効率ψｈとψｃは同値であり、過冷却部１２における温度効率ψｈとψｃもほぼ同値である。一方、伝熱面積は温度効率によって定まり（依存し）、温度効率が同値の場合には伝熱面積も同等となり得る。従って、熱回収熱交換部１１および過冷却部１２のそれぞれにおいて、高温側の熱媒の熱交換と低温側の熱媒の熱交換に要する伝熱面積は同等となる。
【００３２】
次に、このような構成の一体型熱交換器１０の動作、作用について説明する。ここで、氷蓄熱システム全体の構成、動作などについては、実施の形態１と同様であるため、一体型熱交換器１０についてのみ特に説明する。
【００３３】
まず、氷蓄熱槽５に蓄えられた０℃の第１の冷水Ｗ１が、熱回収熱交換部１１の第１の流路１１ａを流れ、第２の流路１１ｂを流れる第３の冷水Ｗ３との熱交換によって、０．４℃の第２の冷水Ｗ２となって予熱器６に送られる。次に、予熱器６によって加熱されて０．５℃の第３の冷水Ｗ３となり、第２の流路１１ｂを流れて上記の第１の冷水Ｗ１との熱交換によって０．１℃の第４の冷水Ｗ４となる。そして、貫通流路１３ａを通過して、第３の流路１２ａに流入する。一方、過冷却部１２において、熱源装置２で冷却された−３℃のブラインが第４の流路１２ｂを流れ、第３の流路１２ａを流れる０．１℃の第４の冷水Ｗ４が、−３℃のブラインとの熱交換によって−２℃の過冷却水Ｗ５となって流出し、過冷却解除器４側に送られるものである。
【００３４】
以上のように、この一体型熱交換器１０を備えた氷蓄熱システムによれば、熱回収熱交換部１１と過冷却部１２とが一体的に構成されているため、氷蓄熱システムの省スペース化や製造費の削減が可能となる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、熱源装置２と予熱器６とが別体となっている（分離されている）が、熱源装置２に予熱器６を備える構成であってもよい。
【産業上の利用可能性】
【００３６】
以上のように、この発明に係る氷蓄熱システムおよび氷蓄熱方法は、過冷却に要する冷却熱量や、過冷却器に供給する熱媒水中の氷を融かすのに要する加熱量を低減可能なものとして極めて有用である。
【図面の簡単な説明】
【００３７】
【図１】この発明の実施の形態１に係る氷蓄熱システムを示す概略構成図である。
【図２】図１の氷蓄熱システムにおける冷水の温度状態などを示す模式図である。
【図３】この発明の実施の形態２に係る氷蓄熱システムにおける一体型熱交換器を示す概略構成図である。
【図４】図３の一体型熱交換器における冷水の温度状態などを示す模式図である。
【図５】図３の一体型熱交換器の熱回収熱交換部における温度変化（ａ）と、過冷却部におけるにおける温度変化（ｂ）とを示す模式図である。
【図６】従来の氷蓄熱システムを示す概略構成図である。
【符号の説明】
【００３８】
１          氷蓄熱システム
２          熱源装置
３          過冷却器
４          過冷却解除器
５          氷蓄熱槽
６          予熱器
７          熱回収熱交換器（熱交換器）
１０        一体型熱交換器
１１        熱回収熱交換部（第２の熱交換部）
１２        過冷却部（第１の熱交換部）
Ｗ１〜Ｗ４  冷水
Ｗ５        過冷却水
【図１】
0005154247.tif 000002
【図２】
0005154247.tif 000003
【図３】
0005154247.tif 000004
【図４】
0005154247.tif 000005
【図５】
0005154247.tif 000006
【図６】
0005154247.tif 000007